(57)【要約】【課題】  洗濯物を干す際、高所にある竿置台上にある竿に洗濯物を掛ける事は困難である。低い位置で洗濯物を竿に吊掛け、高い位置にある竿置台の上に戻す昇降物干しを提供する。【解決手段】上記目的を達成するため、本発明は次のような構成としている。  ロールスクリーン本体１５に巻き込まれた索１４がガイドローラー８から順にガイドローラー７を通過して竿支持具１０の上部にあるガイドローラー６を介して、ガイドローラー５、ガイドローラー４、ガイドローラー３を経由して竿支持具１０の上部にあるガイドローラー２を介してガイドローラー１を通過した後、ガイドローラー１の下方で索１４は基板１６に固着１７されている。【選択図】図１
2019063466.tif 000002
【特許請求の範囲】
【請求項１】
複数竿の上下動可能な物干し装置において、一対の基板に取り付けられたリールから引き伸ばされた索体が基板の一端から他端までローラーに掛け回わされながら、張設されることによって形成される少なくとも１個以上からなる竿支持部に物干し竿を掛け置きするようになされた昇降物干し装置。
【請求項２】
請求項１に記載の物干し装置において、前記基板に物干し竿を下支えする受部が設けられてなる物干し装置。
【請求項３】
請求項１または２に記載の物干し装置において、前記基板に物干し竿案内板を設けてなる物干し装置。
【発明の詳細な説明】
【技術分野】
【０００１】  本発明は、昇降物干し装置に関するものである。
【背景技術】
【０００２】  一般的な物干しとしては、天井から吊り下げられた竿置台に竿を載せるものか、地上に設置する竿置台が大半で、天井吊り下げ型については竿置台の位置が高所にあるのが通常である。そのために数々の昇降装置が公知になっている。例えば（特許文献１参照）物干し用パイプの内部にロールスクリーン機能を有した昇降物干し装置があるが、物干しパイプを任意の高さで保持することができない。
また、その装置で昇降させることができる物干し用パイプは単数である。【０００３】  他に（特許文献２参照）複数本の物干し竿を昇降させることができるものもあるが、複数本の竿が同時に同じ高さに昇降するもので、洗濯物の吊り下げ取込みの際に必要でない方の竿が邪魔になり所望する竿のみを昇降させることができない。【０００４】（特許文献３参照）昇降式物干し竿に示されるものについては、任意の高さに物干し竿を昇降できるものであるが、昇降できる竿の数は単数でありその竿を昇降させるには竿端に設置された昇降装置のある位置に移動して操作しなければならない。【０００５】  高所にある竿置台での、洗濯物の吊掛け取り込み作業を楽な姿勢で行わせるために数々の昇降物干し装置が知られている。
しかしながら、公知の装置を一般家庭に取り込むには装置が複雑であるばかりでなく、昇降できる物干し竿が単数であり、複数本の昇降装置であってもその内の必要な竿のみを昇降させることはできない。
いずれの装置も有効ではあるがそれらのほとんどが何らかの取り付け工事を必要とする。
【先行技術文献】
【特許文献】
【０００６】
【特許文献１】特開２００１４−１００４４６号公報
【特許文献２】特開２００５−０４０５６８号公報
【特許文献３】特開２０１１−０４１７７２号公報
【発明の概要】
【発明が解決しようとする課題】
【０００７】  上述した公知の従来技術にあっては、それぞれ、構造が複雑であるがために高価な装置であり、使用範囲が限られてくる。
また、物干し用パイプの中にロールスクリーン機能を持たせた昇降物干し装置にあっては、昇降させることができる竿は単数である。【０００８】  水平方向に平行な複数本の竿を固着されたものであっても、必要とする１本の竿だけを昇降させて、洗濯物の吊掛け取り込みを行うことはできない。【０００９】  昇降式物干し竿については、任意の高さに物干し竿を昇降できるものであるが昇降できる竿の数は単数であり、その竿を昇降させるには竿端に設置された昇降装置のある位置に移動しなければならない。【００１０】  本発明は、このような課題を解決するためになされたもので、一般的な主婦が簡単な操作で物干し竿への洗濯物の吊掛け取り込み作業を楽な姿勢で行わせ得るようにした昇降物干し装置を提供することを目的とする。
【課題を解決するための手段】
【００１１】  第１発明において、一対の基板に取り付けられたリールから引き伸ばされた索体が基板の一端から他端までローラーに掛け回わされながら、張設されることによって形成される竿支持部に物干し竿を掛け置きするようになされた昇降物干し装置。
第２発明においては、前記基板に物干し竿を下支えする受部が設けられてなる物干し装置。
第３発明においては、前記基板に物干し竿案内板を設けてなる物干し装置。【００１２】  上記手段を達成するために本発明は次のような構成としている。
ロールスクリーン１５から引き伸ばされた索１４がガイドローラー８から順にガイドローラー７を通過して竿支持具１０の上部にあるガイドローラー６を介して、ガイドローラー５、ガイドローラー４、ガイドローラー３を経由して竿支持具１０の上部にあるガイドローラー２を介してガイドローラー１を通過した後、ガイドローラー１の下方で索１４は基板１６に固着１７されている。
なお、竿支持具１０の増減をすることにより竿１３及び竿置台１２は単数から複数本に制限なく増減できる。【００１３】  ガイドローラー３とガイドローラー５の間にあるガイドローラー４を省略させても同様の動きを得られるが、ガイドローラー４の設置位置をガイドローラー５、ガイドローラー３を結ぶ中心線より下方へ下げることによって、索１４に張力が加わりガイドローラー３とガイドローラー５に索１４の押しつける力が強くなり、ガイドローラー３とガイドローラー５の溝から索１４が外れにくくなる。
【発明の効果】
【００１４】  本発明は設置する竿の本数に制限がない。
動力を必要としない。
構造と取り扱いが至って簡単である。
特段の取り付け工事を必要としない。
本発明を用いて洗濯物の吊掛け取込みを行うと、任意の高さで竿を留置くことができ複数本の竿の内、所望する１本の竿のみを小さい力で竿の昇降作業が可能となる。
【図面の簡単な説明】
【００１５】
【図１】  本発明の実施形態を示す斜視図
【図２】  本発明に係る昇降物干しで２本の竿の内、竿１３の片方を竿置台１２から下げた実施形態を示す側面図である。
【図３】  本発明に係る昇降物干しで竿１３を２本共、竿置台１２上に載せた実施形態を示す側面図である。
【図４】  本発明に係る昇降物干しで２本の竿の内、竿１３の片方を竿置台１２から下げた実施形態を示す正面図である。
【発明を実施するための形態】
【００１６】  本発明は、ロールスクリーンの特性である巻き取ったものを任意の位置で止めることができ、一旦止めた位置から再度任意の高さまで昇降させることが可能である。
またロールスクリーン１５内蔵のスプリングの反発力による巻取り力を利用して、洗濯物を吊掛けた竿１３を小さい力で押し上げ又は引き下げて竿置台１２に着脱することができる。ロールスクリーン１５から引き伸ばされた索１４の途中に設けられた竿支持具１０により竿１３を引き下げ、または竿１３を押し上げて竿置台１２に着脱することができるようにするものである。
【００１７】  ロールスクリーン１５本体から引き伸ばされた索１４が、基板１６に設置されたガイドローラー８から１を順次通過して行く途中に竿１３を固定した複数の竿支持具１０を介して、索１４の他端部を基板１６に固着１７されたものである。この竿置台１２の形状に特徴があり、上方に向いた略Ｌ字状突起の外側の円弧に沿って押し上げられた竿１３は図２の竿１３に示されるとおり略Ｌ字状突起が竿の中心線より左側にあるために、略Ｌ字状突起先端を越すと自然に竿置台１２の懐側に導かれる。
【００１８】  ロールスクリーンに内蔵されたコイルスプリングに置き換えて、ワイヤーリール（自動巻取り）構造として省スペース化を図ることもできる。
図１に示されるように、両方の竿保持具１０が基板１６に対して同一側に設けられているが装置の両方を基板１６の内側に設置することにより、風による竿のずれ止めに有効となる。
【００１９】  本発明の実施形態について図面を参照して説明する。図１に、本発明に係る昇降物干し装置の実施形態斜視図を示す。
本発明は、左右同型の装置一対からなるものである。建屋天井１８から吊棒９により吊り下げられた基板１６上部に設けられた、ロールスクリーン１５の胴体に巻かれた索１４がガイドローラー８からガイドローラー７を通過し、竿支持具１０の上部にあるガイドローラー６を介してガイドローラー５、ガイドローラー４、ガイドローラー３を順次通過した索１４は竿支持具１０の上部ガイドローラー２を介してガイドローラー１を通過した後に基板１６に固着１７されている。
【００２０】  図２は竿支持具１０を竿置台１２から外し洗濯物を竿１３に吊掛け易い高さまで引き下げた側面図である。竿支持具１０を下げ始めた時点では、他方の竿支持具１０は竿置台１２上にある。
【００２１】  竿支持具１０を押し下げる際に、索１４に張力がかかり他方の竿支持具１０に固定された竿１３は竿案内板１１の下方直線部と竿１３上部の空間分だけ持ち上がるが、図２に示されるとおり竿置台１２の略Ｌ字状突起先端が竿置台１２の中心線より左側に寄っているために、持ち上がった竿１３は竿案内板１１の下方直線部で抑えられ竿置台１２の略Ｌ字状突起を越して竿１３が左側に外れることはない。
【００２２】  各竿置台１２の竿１３が収まる位置は竿案内板１１の中心線より右側にあるので、各竿置台１２に収まった竿支持具１０はそれぞれ左側に傾いた状態で竿置台１２上にある。
この竿置台の形状に特徴があり、上方に向いた略Ｌ字状の突起の左側の円弧に沿って押し上げられた竿はこの略Ｌ字状突起先端を越すと自然に竿置台の懐側に導かれる。
【００２３】  図３は２本の竿１３が共にそれぞれの竿置台１２上にあり、通常洗濯物の乾燥中または吊掛け取り込みが終わった状態である。竿１３を昇降させる際には直接竿１３を手で持って昇降させる方法と、上下方向に押上げ引き下げのできる鉤付きの補助棒で昇降させる方法があるが、本発明を設置する高さによって都合のよい方法を選択できる。
【００２４】  その他の実施形態として、洋服箪笥のハンガー吊掛け棒やクローゼットのハンガー吊掛け棒としても応用できる。
【００２５】  本発明の使用手順を説明する。
１  複数本の竿１３の内、都合の良い竿１３を任意の高さまで引き下げる。この時、奥側にある竿１３を引き下げた方が使い勝手がよい。
２  任意の高さに引き下げた竿１３に洗濯物を吊掛ける。
３  吊掛けの終わった竿１３を押し上げて竿置台１２に載せる。
４  他方の竿１３を任意の高さまで引き下げて洗濯物を吊掛ける。
５  吊掛けの終わった竿１３を押し上げて竿置台１２に載せる。
６  洗濯物を取り込むには複数本の竿１３の内、都合の良い竿１３を任意の高さまで引き下げて洗濯物を取り込む。
７  取込みの終わった竿１３を押し上げて竿置台１２に載せる。
８  他方の竿１３を任意の高さまで引き下げ洗濯物を取り込む。
９  取込みの終わった竿１３を押し上げて竿置台１２に載せる。
洗濯物の乾燥中と洗濯物を取り込んだ後には、図３の状態になるのが通常の状態である。
【符号の説明】
【００２６】１  ガイドローラー
２  ガイドローラー
３  ガイドローラー
４  ガイドローラー
５  ガイドローラー
６  ガイドローラー
７  ガイドローラー
８  ガイドローラー
９  吊棒
１０  竿支持具
１１  竿案内板
１２  竿置台
１３  竿
１４  索
１５  ロールスクリーン
１６  基板
１７  固着
１８  建屋天井
【図１】
2019063466.tif 000003
【図２】
2019063466.tif 000004
【図３】
2019063466.tif 000005
【図４】
2019063466.tif 000006
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
相互に平行な平面を有する一対の基板と、基板に設けられたリールと、リールから引き伸ばされた索体と、前記基板に対して接近離間し得る竿支持部と、竿支持部に固定された竿とが具備され、前記基板の平面にガイドローラーが、また前記支持部にもガイドローラーが夫々回転自在に装着されており、前記索体は前記基板に装着されたガイドローラーの上部と前記支持部に装着されたガイドローラーの下部に掛け回され、その引き伸ばし端部は前記基板に固着されていて、前記索体が前記リールに巻き取られることにより、前記支持部に装着されたガイドローラーは上昇し、前記索体が前記リールから引き伸ばされることにより、前記支持部に装着された移動ガイドローラーは降下するように構成されていることを特徴とする昇降物干し装置。
【請求項２】
前記基板に、前記物干し竿を下支えする竿置台が設けられている請求項１記載の昇降物干し装置。
【請求項３】
前記基板に、前記物干し竿を前記竿置台上に誘導する竿案内板が設けられている請求項２記載の昇降物干し装置。
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
一対の基板に設けられたリールと、リールから引き伸ばされた索体と、前記基板に対して接近離間し得る竿支持部と、竿支持部に固定された竿とが具備され、前記基板にガイドローラーが、また前記竿支持部にもガイドローラーが夫々回転自在に装着されており、前記索体は前記基板に装着されたガイドローラーの上部と前記竿支持部に装着されたガイドローラーの下部に掛け回され、その引き伸ばし端部は前記基板に固着されていて、前記索体が前記リールに巻き取られることにより、前記竿支持部に装着されたガイドローラーは上昇し、前記索体が前記リールから引き伸ばされることにより、前記竿支持部に装着された移動ガイドローラーは降下するように構成されていることを特徴とする昇降物干し装置。
【請求項２】
前記基板に、前記物干し竿を下支えする竿置台が設けられている請求項１記載の昇降物干し装置。
【請求項３】
前記基板に、前記物干し竿を前記竿置台上に誘導する竿案内板が設けられている請求項２記載の昇降物干し装置。